(57)【要約】【課題】ポインタ入力方式側からタッチパネル入力方式側のタッチパネル接点位置に同期した所望の場所を迅速かつ確実に選択でき、動作の安定性及び利便性を向上できるナビゲーションシステムにおける画面操作位置指示方法を提供する。【解決手段】少なくとも第１ディスプレイ３及び第２ディスプレイ４を有し、第１ディスプレイ３にはその表示画面上に多数の透過接点素子を有するタッチパネル１５を配置して、タッチパネル１５の操作による接点位置情報に基づいて画面操作位置を指示し、第２ディスプレイ４には多方向キー２１の操作により移動可能にポインタ２６を表示して、ポインタ２６の指示位置情報に基づいて画面操作位置を指示するナビゲーションシステムにおいて、第２ディスプレイ４に表示するポインタ２６を、タッチパネル１５の接点位置間隔に対応させて多方向キー２１の操作によりステップ移動させる。【選択図】図３
2007265159.tif 000002
【特許請求の範囲】
【請求項１】
少なくとも第１ディスプレイ及び第２ディスプレイを有し、
上記第１ディスプレイにはその表示画面上に多数の透過接点素子を有するタッチパネルを配置して、上記タッチパネルの操作による接点位置情報に基づいて画面操作位置を指示し、
上記第２ディスプレイには多方向キーの操作により移動可能にポインタを表示して、上記ポインタの指示位置情報に基づいて画面操作位置を指示するナビゲーションシステムにおいて、
上記第２ディスプレイに表示される上記ポインタを、上記タッチパネルの接点位置間隔に対応させて上記多方向キーの操作によりステップ移動させることを特徴とするナビゲーションシステムにおける画面操作位置指示方法。
【請求項２】
上記ポインタによる指示位置のステップ量を、上記タッチパネルの接点間隔に一致させたことを特徴とする請求項１に記載のナビゲーションシステムにおける画面操作位置指示方法。
【請求項３】
上記ポインタによる指示位置のステップ量を、上記タッチパネルの接点間隔のｎ倍（ｎは整数）に一致させたことを特徴とする請求項１に記載のナビゲーションシステムにおける画面操作位置指示方法。
【請求項４】
上記ポインタを、一つのキャラクタまたは複数のキャラクタの集合体により選択的に表示することを特徴とする請求項３に記載のナビゲーションシステムにおける画面操作位置指示方法。
【請求項５】
上記集合体を構成する複数のキャラクタを異ならせて、上記ポインタによる指示位置を変化させることを特徴とする請求項４に記載のナビゲーションシステムにおける画面操作位置指示方法。
【請求項６】
上記ポインタによる指示位置のステップ量を、上記タッチパネルの接点間隔に一致させたことを特徴とする請求項５に記載のナビゲーションシステムにおける画面操作位置指示方法。
【請求項７】
上記第２ディスプレイに、上記タッチパネルの各接点位置に対応する上記ポインタの指示位置領域を設定したことを特徴とする請求項１〜６のいずれか１項に記載のナビゲーションシステムにおける画面操作位置指示方法。
【請求項８】
上記ナビゲーションシステムは、車両に搭載され、上記第１ディスプレイが前席用ディスプレイであり、上記第２ディスプレイが後席用ディスプレイであることを特徴とする請求項１〜７のいずれか１項に記載のナビゲーションシステムにおける画面操作位置指示方法。
【発明の詳細な説明】
【技術分野】
【０００１】
本発明は、複数のディスプレイを有するナビゲーションシステムにおける画面操作位置指示方法に関する。
【背景技術】
【０００２】
複数のディスプレイを有するナビゲーションシステムとしては、例えば車両の前席側及び後席側に前席用ディスプレイ及び後席用ディスプレイを設けたものが種々提案されている（例えば、特許文献１乃至特許文献４参照）。
【０００３】
かかるナビゲーションシステムでは、各ディスプレイに対応して操作入力手段を設け、各操作入力手段からの入力情報に基づいて対応するディスプレイへの表示情報を制御したり、表示された地図上で所望のポイントを指定したりするようにしており、その操作入力手段としてリモコンや、ディスプレイの表示画面周囲に設けたスイッチパネルが知られている。
【０００４】
ここで、リモコンやスイッチパネルを用いて、例えばディスプレイに表示された地図上の所望のポイントを指定する等のナビゲーション画面を操作する場合には、通常、ディスプレイにＯＳＤ（Ｏｎ  Ｓｃｒｅｅｎ  Ｄｉｓｐｌａｙ）機能を設けるなどして画面上にポインタを表示し、そのポインタをリモコンやスイッチパネルに設けられた多方向キー（スティック、８方向矢印ボタン、トラックボール等）を操作することにより移動させて、ポインタが所望の位置を指示する状態でリモコンやスイッチパネルに設けられた決定ボタンを押下して指定するようにしている。
【０００５】
一方、操作入力手段として、近年、画面の前面に多数の透過接点素子を有するタッチパネル若しくはタッチスクリーン（本明細書では、総称してタッチパネルと言う）を配し、そのタッチパネルの接点位置と、例えば画面上に表示されるアイコンの位置とを関連させて、画面に触れることで画面上のアイコンを選択するようにしたタッチパネル入力方式のナビゲーションシステムも知られている。
【０００６】
このタッチパネル入力方式は、直接的な入力方式であることから、ＯＳＤ機能によりポインタを表示して多方向キーにより移動させて情報を入力する所謂ポインタ入力方式に比べて、遥かに簡単かつ迅速に所望の情報を入力できるメリットがある。
【０００７】
【特許文献１】特開平１０−２８７１８８号公報
【特許文献２】特開２０００−２０５８８７号公報
【特許文献３】特開２００２−２４３４８３号公報
【特許文献４】特開２００３−２３１４２７号公報
【発明の開示】
【発明が解決しようとする課題】
【０００８】
ところで、上述したタッチパネル入力方式の前席用ディスプレイを有するナビゲーションシステムに、ポインタ入力方式の後席用ディスプレイを増設可能にして、後席用ディスプレイからナビゲーション画面を操作しようとする場合、タッチパネル入力方式は、透過接点素子を多数配置できることから画面上で指定できる位置の分解能を高くできるのに対して、ポインタ入力方式は、例えば図９に示すように、後席用ディスプレイの表示画面５２をＯＳＤ機能により複数の領域に分割して所望の領域をポインタ５３で指定することになるため、指定できる位置の分解能が圧倒的に低くなる。
【０００９】
このため、単に、図１０に示すように、前席用ディスプレイの表示画面５１を、後席用ディスプレイの分割領域に対応して分割し、その分割領域Ｓでは左上にあるタッチパネル接点位置Ｐ１が選択されたものとして、後席用ディスプレイから得られるポインタ指示位置情報を前席用ディスプレイから得られるタッチパネル接点位置情報に同期させた場合には、例えば図１０において、タッチパネル接点位置Ｐ１を選択しようとする場合、図９に実線で示すようにポインタ５３が対応する領域Ａ内で左上を指示していれば、所望のタッチパネル接点位置Ｐ１を確実に選択できるが、この場合にはタッチパネル接点位置Ｐ２のみに対応する画面表示の位置を選択することができない。なぜなら、この場合には、図９において、ポインタ５３を右方向に移動させると、次に表示できる位置はポインタ５３ｂであり、同様に下方向に移動させると、次に表示される位置はポインタ５３ｃとなるからである。
【００１０】
上記の選択できない状態を防止する一つの方法として、画面上に表示するボタン等の選択スイッチを常に分割領域Ｓより大きくすることで、選択スイッチの一部に必ずポインタ５３の指示する点（例えば、Ｐ１）が重なるようにすることが考えられる。しかし、この方法では、画面に表示するボタン等の選択スイッチが非常に大きくなって操作し難く、かつ画面が見づらくなり、また地図などの細かい点を選択することが困難になる。
【００１１】
また、上記の選択できない状態を防止する他の方法として、リモコンや後席用ディスプレイに設定ボタンを設けて、ポインタ５３の表示を図１１（ａ）〜（ｅ）に示すパターンから切り替えられるようにすることも考えられる。しかし、この方法では、設定ボタンが増えて、リモコンや後席用ディスプレイが大きくなるとともに、操作性も著しく低下することが懸念される。
【００１２】
従って、かかる事情に鑑みてなされた本発明の目的は、タッチパネル入力方式及びポインタ入力方式の複数のディスプレイを有するナビゲーションシステムにおいて、ポインタ入力方式のリモコンやディスプレイの大型化や操作性の低下を招くことなく、ポインタ入力方式によりタッチパネル入力方式のタッチパネル接点位置に同期した所望の場所を迅速かつ確実に選択でき、動作の安定性及び利便性を向上できるナビゲーションシステムにおける画面操作位置指示方法を提供することにある。
【課題を解決するための手段】
【００１３】
上記目的を達成する請求項１に記載のナビゲーションシステムにおける画面操作位置指示方法の発明は、少なくとも第１ディスプレイ及び第２ディスプレイを有し、上記第１ディスプレイにはその表示画面上に多数の透過接点素子を有するタッチパネルを配置して、上記タッチパネルの操作による接点位置情報に基づいて画面操作位置を指示し、上記第２ディスプレイには多方向キーの操作により移動可能にポインタを表示して、上記ポインタの指示位置情報に基づいて画面操作位置を指示するナビゲーションシステムにおいて、上記第２ディスプレイに表示される上記ポインタを、上記タッチパネルの接点位置間隔に対応させて上記多方向キーの操作によりステップ移動させることを特徴とする。
【００１４】
請求項２に記載の発明は、請求項１のナビゲーションシステムにおける画面操作位置指示方法において、上記ポインタによる指示位置のステップ量を、上記タッチパネルの接点間隔に一致させたことを特徴とする。
【００１５】
請求項３に記載の発明は、請求項１のナビゲーションシステムにおける画面操作位置指示方法において、上記ポインタによる指示位置のステップ量を、上記タッチパネルの接点間隔のｎ倍（ｎは整数）に一致させたことを特徴とする。
【００１６】
請求項４に記載の発明は、請求項３のナビゲーションシステムにおける画面操作位置指示方法において、上記ポインタを、一つのキャラクタまたは複数のキャラクタの集合体により選択的に表示することを特徴とする。
【００１７】
請求項５に記載の発明は、請求項４のナビゲーションシステムにおける画面操作位置指示方法において、上記集合体を構成する複数のキャラクタを異ならせて、上記ポインタによる指示位置を変化させることを特徴とする。
【００１８】
請求項６に記載の発明は、請求項５のナビゲーションシステムにおける画面操作位置指示方法において、上記ポインタによる指示位置のステップ量を、上記タッチパネルの接点間隔に一致させたことを特徴とする。
【００１９】
請求項７に記載の発明は、請求項１〜６のいずれか１項のナビゲーションシステムにおける画面操作位置指示方法において、上記第２ディスプレイに、上記タッチパネルの各接点位置に対応する上記ポインタの指示位置領域を設定したことを特徴とする。
【００２０】
請求項８に記載の発明は、請求項１〜７のいずれか１項のナビゲーションシステムにおける画面操作位置指示方法において、上記ナビゲーションシステムは、車両に搭載され、上記第１ディスプレイが前席用ディスプレイであり、上記第２ディスプレイが後席用ディスプレイであることを特徴とする。
【発明の効果】
【００２１】
請求項１の発明によると、第２ディスプレイに表示されるポインタが多方向キーの操作によって第１ディスプレイ上のタッチパネルの接点位置間隔に対応してステップ移動するので、リモコンや第２ディスプレイの大型化や機能低下を招くことなく、第２ディスプレイ側から第１ディスプレイ側のタッチパネル接点位置に同期した所望の場所を迅速かつ確実に選択でき、ナビゲーションシステムの動作の安定性及び利便性を向上することが可能となる。
【００２２】
請求項２の発明によると、第２ディスプレイ側のポインタが指示できる位置（指示位置）の間隔と、第１ディスプレイ側のタッチパネルの接点間隔とが一致しているので、第１ディスプレイ側のタッチパネル接点位置に同期した所望の場所をより迅速かつ確実に選択できる。
【００２３】
請求項３の発明によると、第２ディスプレイ側のポインタによる指示位置のステップ量が、第１ディスプレイ側のタッチパネルの接点位置間隔のｎ倍に一致しているので、第２ディスプレイのポインタ表示位置が細かく指定できない場合でも、請求項２の場合と同様に第１ディスプレイ側のタッチパネル接点位置に同期した所望の場所をより迅速かつ確実に選択できる。
【００２４】
請求項４の発明によると、ポインタが一つのキャラクタまたは複数のキャラクタの集合体で選択的に表示されるので、第２ディスプレイのポインタ表示位置を細かく指定することが可能となる。
【００２５】
請求項５の発明によると、集合体を構成する複数のキャラクタを異ならせて、ポインタによる指示位置を変化させたので、第２ディスプレイのポインタ表示位置をより細かく指定することが可能となる。
【００２６】
請求項６の発明によると、ポインタによる指示位置のステップ量をタッチパネルの接点間隔に一致させたので、請求項２の場合と同様に第１ディスプレイ側のタッチパネル接点位置に同期した所望の場所をより迅速かつ確実に選択できる。
【００２７】
請求項７の発明によると、タッチパネルの各接点位置に対応するポインタの指示位置領域が設定されているので、より簡単に所望の場所を選択することが可能となる。
【００２８】
請求項８の発明は、第１ディスプレイが前席用ディスプレイであり、第２ディスプレイが後席用ディスプレイである具体的構成を示すものである。この構成によれば、後席用ディスプレイに表示されるポインタが多方向キーの操作によって前席用ディスプレイ上のタッチパネルの接点位置間隔に対応してステップ移動するので、リモコンや後席用ディスプレイの大型化や機能低下を招くことなく、後席用ディスプレイ側から前席用ディスプレイ側のタッチパネル接点位置に同期した所望の場所を迅速かつ確実に選択できる。
【発明を実施するための最良の形態】
【００２９】
以下、本発明のナビゲーションシステムにおける画面操作位置指示方法の実施の形態について、図を参照して説明する。
【００３０】
（第１実施の形態）
図１は、本発明の第１実施の形態に係るナビゲーションシステムの要部の概略構成図である。このナビゲーションシステム１は、車両に搭載されるもので、メイン制御部２と、第１ディスプレイである前席用ディスプレイ３と、第２ディスプレイである後席用ディスプレイ４と、後席用のリモコン５とを有している。なお、メイン制御部２には、その他、ＧＰＳ受信部、ジャイロセンサ、車速センサ、ＦＭ多重受信部、光・電波ビーコン受信部、地図情報等を格納した媒体の制御部、スピーカ等が接続されるが、図１では図を明瞭とするために、それらの図示を省略してある。また、メイン制御部２と前席側ディスプレイ３は一体でもかまわない。
【００３１】
前席用ディスプレイ３は、その表示画面１１の周囲に、それぞれ所定の情報に対応する複数の設定用ボタン１２を有するスイッチパネル１３が設けられており、任意の設定用ボタン１２を押下することにより対応する所定の情報がメイン制御部２に入力されて、前席用ディスプレイ３への表示情報が制御されるようになっている。
【００３２】
また、前席用ディスプレイ３の表示画面１１の前面には、多数の透過接点素子を有するタッチパネル１５が配置されており、タッチパネル入力方式によって例えば表示画面１１に表示されている地図等のナビゲーション画面上の所望のポイントに触れることにより、そのタッチパネル１５の接点位置情報に基づいて所望のポイントである画面操作位置が指示されるようになっている。
【００３３】
一方、リモコン５には、少なくとも多方向キー２１（スティック、８方向矢印ボタン、トラックボール等）及び決定ボタン２２を有する各種の操作ボタンが設けられており、このリモコン５の操作情報は無線通信により後席用ディスプレイ４に供給されるようになっている。また、多方向キー21と決定ボタン22は一体でもかまわない。
【００３４】
また、後席用ディスプレイ４には、ＯＳＤ機能により表示画面２５にポインタ２６が表示可能となっている。このポインタ２６は、リモコン５の多方向キー２１の操作により移動可能となっており、決定ボタン２２を押下することにより、ポインタ入力方式によりポインタ２６の矢印先端の画面位置（指示位置）が画面操作位置として指示されるようになっている。
【００３５】
本実施の形態では、ポインタ２６による指示位置を、タッチパネル１５の接点位置に一致させることにより、後席用ディスプレイ４において、リモコン５の多方向キー２１の操作によるポインタ２６のステップ移動量を、前席用ディスプレイ３のタッチパネル１５の接点位置間隔に一致させ、所望のポインタ位置において決定ボタン２２を押下することにより、その時点のポインタ２６の矢印先端の指示位置を、タッチパネル１５の対応する接点位置情報に変換してメイン制御部２に送信し、これによりメイン制御部２にタッチパネル１５が操作されたのと同じ情報として認識させる。
【００３６】
したがって、本実施の形態では、ポインタ２６は、常に、タッチパネル接点位置を順次指示しながらステップ移動することになるので、ポインタ２６の状態（ポインタ種類）は、図２に示す１種類となり、ポインタ２６を表示するためのキャラクタ数も１種類となる。
【００３７】
図３は、本実施の形態のナビゲーションシステムにおける動作を示すフローチャートである。先ず、後席用ディスプレイ４において、リモコン５の多方向キー２１の操作によりポインタ２６を移動させたら（ステップＳ１）、リモコン５の決定ボタン２２の押下を監視し（ステップＳ２）、決定ボタン２２が押下されたらその時点のポインタ２６の画面位置を取得して（ステップＳ３）、後席用ディスプレイ４側においてタッチパネル１５の対応する接点位置情報に変換し（ステップＳ４）、メイン制御部２にデータを送信する（ステップＳ５）。
【００３８】
また、メイン制御部２では、後席用ディスプレイ４からのデータを受信したら、その受信データ（接点位置情報）に対応する前席用ディスプレイ３の画面上のポイントを計算して（ステップＳ６）、対応するナビゲーション画面を作成し（ステップＳ７）、ポインタ２６の移動による処理を終了する。
【００３９】
一方、ステップＳ２において、決定ボタン２２の押下が検出されないときは、前席用ディスプレイ３におけるタッチパネル１５の操作の有無を検出し（ステップＳ８）、タッチパネル１５の操作が検出されたときはステップＳ６に移行して操作された接点位置情報に対応する前席用ディスプレイ３の画面上のポイントを計算して、ステップＳ７において対応するナビゲーション画面を作成し、ポインタ２６の移動による処理を終了する。
【００４０】
また、ステップＳ８でタッチパネル１５の操作が検出されないときは、ステップＳ１でのポインタ２６の移動による処理を終了する。
【００４１】
上記の処理は、ポインタ２６を移動する毎に実行する。
【００４２】
本実施の形態によれば、後席用ディスプレイ４に表示されるポインタ２６をリモコン５の多方向キー２１の操作により前席用ディスプレイ３上のタッチパネル１５の接点位置と一致させてステップ移動させ、そのポインタ２６の指示位置をタッチパネル１５の対応する接点位置情報に変換してタッチパネル１５が操作されたのと同じ情報として認識させるようにしたので、リモコン５に余分な設定用ボタンを設けたり、機能キーを設けたりすることなく、後席側ディスプレイ４側から前席用ディスプレイ３側のタッチパネル接点位置に同期した所望の場所を簡単な操作で迅速かつ確実に選択することができる。したがって、ナビゲーションシステムを安定に動作させることができ、利便性を向上することができるとともに、リモコン５の大型化や機能低下を招くこともない。
【００４３】
（第２実施の形態）
本発明の第２実施の形態では、図１に示す構成において、ポインタ２６による指示位置のステップ量を、タッチパネル１５の接点位置間隔の２倍に一致させる。すなわち、リモコン５の多方向キー２１による後席用ディスプレイ４のポインタ２６のステップ移動間隔となるＯＳＤ機能によって分割される領域間隔をタッチパネル接点間隔の２倍にして、前席用ディスプレイ３におけるタッチパネル１５の接点位置に一致させる。
【００４４】
すなわち、図４にタッチパネル１５の接点位置とポインタ２６の指示位置との関係を示すように、後席側ディスプレイ４側のＯＳＤ機能によりキャラクタを配置できる点であるＱの間隔を、タッチパネル１５の接点位置の間隔の２倍として、一つおきにキャラクタを配置できる点Ｑとタッチパネル１５の接点位置に対応する点Ｐとが一致するようにする。
【００４５】
そして、例えばキャラクタを配置できる点Ｑ１〜Ｑ４に置くキャラクタを切り替えて選択的に表示することで、キャラクタを配置できる点Ｑ１〜Ｑ４の間にあるタッチパネル１５の接点位置に対応する点Ｐ１〜Ｐ４を選択可能とする。
【００４６】
すなわち、図５（ａ）に示すように、Ｑ１にポインタ２６を表示する一つのキャラクタａを配置してＰ１を選択可能とし、図５（ｂ）に示すようにＱ１にキャラクタｂ１を、Ｑ２にキャラクタｂ２を配置して二つのキャラクタｂ１とｂ２の集合体によりポインタ２６を表示してＰ２を選択可能とし、図５（ｃ）に示すようにＱ１にキャラクタｃ１を、Ｑ３にキャラクタｃ２を配置して二つのキャラクタｃ１とｃ２の集合体によりポインタ２６を表示してＰ３を選択可能とし、図５（ｄ）に示すようにＱ１にキャラクタｄ１を、Ｑ４にキャラクタｄ２を配置して二つのキャラクタｄ１とｄ２の集合体によりポインタ２６を表示してＰ４を選択可能とする。
【００４７】
このように、各キャラクタを配置できる点に表示するキャラクタを切り替えることにより、Ｑ１〜Ｑ４しか選択できないＯＳＤ機能に、表示しているキャラクタを判断させることで全てのタッチパネル１５の接点位置に対応する点を選択可能とする。したがって、本実施の形態の場合には、ポインタ２６の種類は、図５（ａ）〜（ｄ）に示す４種類となり、その４種類のポインタ２６を表示するためのキャラクタはａ、ｂ１、ｂ２、ｃ１、ｃ２、ｄ１、ｄ２の７種類となる。
【００４８】
本実施の形態によれば、ポインタ２６を、一つのキャラクタまたは複数のキャラクタの集合体により選択的に表示するようにして、キャラクタを切り替えることにより、第１実施の形態と同様にポインタ２６をタッチパネル１５の接点間隔でステップ移動させるようにしたので、後席用ディスプレイ４側から前席用ディスプレイ３側のタッチパネル接点位置に同期した所望の場所をより簡単かつ迅速に選択することができる。
【００４９】
（第３実施の形態）
本発明の第３実施の形態では、図１に示す構成において、ポインタ２６による指示位置のステップ量を、タッチパネル１５の接点位置間隔の３倍に一致させる。すなわち、図６にタッチパネル１５の接点位置とポインタ２６の指示位置との関係を示すように、後席側ディスプレイ４側のＯＳＤ機能によりキャラクタを配置できる点であるＱの間隔を、タッチパネル１５の接点位置の間隔の３倍として、二つおきにキャラクタを配置できる点Ｑとタッチパネル１５の接点位置に対応する点Ｐとが一致するようにする。
【００５０】
そして、例えばキャラクタを配置できる点Ｑ１〜Ｑ４に置くキャラクタを切り替えて表示することで、キャラクタを配置できる点Ｑ１〜Ｑ４の中間にあるタッチパネル１５の接点位置に対応する点Ｐ１〜Ｐ９を選択可能とする。
【００５１】
すなわち、図７（ａ）に示すようにＱ１にポインタ２６を表示する一つのキャラクタａを配置してＰ１を選択可能とし、図７（ｂ）に示すようにＱ１にキャラクタｂ１を、Ｑ２にキャラクタｂ２を配置して二つのキャラクタｂ１とｂ２の集合体によりポインタ２６を表示してＰ２を選択可能とし、図７（ｃ）に示すようにＱ１にキャラクタｃ１を、Ｑ２にキャラクタｃ２を配置して二つのキャラクタｃ１とｃ２の集合体によりポインタ２６を表示してＰ３を選択可能とする。
【００５２】
また、図７（ｄ）に示すようにＱ１にキャラクタｄ１を、Ｑ３にキャラクタｄ２を配置して二つのキャラクタｄ１とｄ２の集合体によりポインタ２６を表示してＰ４を選択可能とし、図７（ｅ）に示すようにＱ１にキャラクタｅ１を、Ｑ４にキャラクタｅ２を配置して二つのキャラクタｅ１とｅ２の集合体によりポインタ２６を表示してＰ５を選択可能とし、図７（ｆ）に示すようにＱ１にキャラクタｆ１を、Ｑ２にキャラクタｆ２を、Ｑ４にキャラクタｆ３を配置して三つのキャラクタｆ１、ｆ２、ｆ３の集合体によりポインタ２６を表示してＰ６を選択可能とする。
【００５３】
さらに、図７（ｇ）に示すようにＱ１にキャラクタｇ１を、Ｑ３にキャラクタｇ２を配置して二つのキャラクタｇ１とｇ２の集合体によりポインタ２６を表示してＰ７を選択可能とし、図７（ｈ）に示すようにＱ１にキャラクタｈ１を、Ｑ３にキャラクタｈ２を、Ｑ４にキャラクタｈ３を配置して三つのキャラクタｈ１、ｈ２、ｈ３の集合体によりポインタ２６を表示してＰ８を選択可能とし、図７（ｉ）に示すようにＱ１にキャラクタｉ１を、Ｑ４にキャラクタｉ２を配置して二つのキャラクタｉ１とｉ２の集合体によりポインタ２６を表示してＰ９を選択可能とする。
【００５４】
このように、各キャラクタを配置できる点に表示するキャラクタを切り替えることにより、Ｑ１〜Ｑ４しか選択できないＯＳＤ機能に、表示しているキャラクタを判断させることで全てのキャラクタを配置できる点を選択可能とする。したがって、本実施の形態の場合には、ポインタ２６の種類は、図７（ａ）〜（ｉ）に示す９種類となり、その９種類のポインタ２６を表示するためのキャラクタ数は、ａ、ｂ１、ｂ２、ｃ１、ｃ２、ｄ１、ｄ２、ｅ１、ｅ２、ｆ１、ｆ２、ｆ３、ｇ１、ｇ２、ｈ１、ｈ２、ｈ３、ｉ１、ｉ２の１９種類となる。
【００５５】
本実施の形態によれば、ポインタ２６を、第２実施の形態と同様にし、一つのキャラクタまたは複数のキャラクタの集合体で表示するようにして、キャラクタを切り替えることにより、第１実施の形態と同様にポインタ２６をタッチパネル１５の接点間隔でステップ移動させるようにしたので、後席用ディスプレイ４側から前席用ディスプレイ３側のタッチパネル接点位置に同期した所望の場所をより簡単かつ迅速に選択することができる。
【００５６】
なお、本発明は上記実施の形態に限定されることなく、発明の趣旨を逸脱しない範囲で種々変更可能である。例えば、上記実施の形態では、後席用ディスプレイ４のポインタ２６をリモコン５によって操作するようにしたが、図８に示すように、後席用ディスプレイ４の表示画面２５の周囲にスイッチパネル３１を設け、このスイッチパネル３１に多方向キー３２及び決定ボタン３３を設けて後席用ディスプレイ４のポインタ２６を操作する場合にも、ディスプレイ自体を大型化することなく、本発明を有効に適用することができる。
【００５７】
また、上記実施の形態では、ポインタ２６による画面指示位置を後席用ディスプレイ４側においてタッチパネル１５の対応する接点位置情報に変換してメイン制御部２にデータを送信するようにしたが、後席用ディスプレイ４側からメイン制御部２にポインタ２６の種類及びキャラクタの種類を送信して、メイン制御部２側でタッチパネル１５の対応する接点位置情報に変換するようにすることもできる。
【００５８】
また、上記実施の形態では、ポインタ２６による画面指示位置が、タッチパネル１５上の全ての接点位置を指定できるように設定しているが、必ずしも全てを指定せずともよい。例えば、タッチパネルの接点位置の複数個に一つを指示してもよい。
【００５９】
なお、ポインタ２６を構成するキャラクタの分割数を増やして、タッチパネル１５との同期をとることもできる。
【００６０】
さらに、本発明は、車両に搭載されるナビゲーションシステムに限らず、タッチパネル入力方式のディスプレイとポインタ入力方式のディスプレイとを有する各種のナビゲーションシステムにも適用することができる。
【図面の簡単な説明】
【００６１】
【図１】本発明の第１実施の形態に係るナビゲーションシステムの要部の概略構成図である。
【図２】第１実施の形態におけるポインタ種類とキャラクタ数とを示す図である。
【図３】本実施の形態の動作を示すフローチャートである。
【図４】本発明の第２実施の形態を説明するためのタッチパネルの接点位置とポインタの指示位置との関係を示す図である。
【図５】第２実施の形態におけるポインタ種類とキャラクタ数とを示す図である。
【図６】本発明の第３実施の形態を説明するためのタッチパネルの接点位置とポインタの指示位置との関係を示す図である。
【図７】第３実施の形態におけるポインタ種類とキャラクタ数とを示す図である。
【図８】本発明の変形例に係る後席用ディスプレイを示す図である。
【図９】ポインタ入力方式を説明するための図である。
【図１０】本発明の課題を説明するための図である。
【図１１】同じく、本発明の課題を説明するためのポインタの表示パターンを示す図である。
【符号の説明】
【００６２】
１    ナビゲーションシステム
２    メイン制御部
３    前席用ディスプレイ（第１ディスプレイ）
４    後席用ディスプレイ（第２ディスプレイ）
５    リモコン
１１  表示画面
１２  設定用ボタン
１３  スイッチパネル
１５  タッチパネル
２１  多方向キー
２２  決定ボタン
２５  表示画面
２６  ポインタ
３１  スイッチパネル
３２  多方向キー
３３  決定ボタン
【図１】
2007265159.tif 000003
【図２】
2007265159.tif 000004
【図３】
2007265159.tif 000005
【図４】
2007265159.tif 000006
【図５】
2007265159.tif 000007
【図６】
2007265159.tif 000008
【図７】
2007265159.tif 000009
【図８】
2007265159.tif 000010
【図９】
2007265159.tif 000011
【図１０】
2007265159.tif 000012
【図１１】
2007265159.tif 000013